(57)【要約】      （修正有）【課題】出庫経路の選択肢を広げることができる出庫支援方法および装置を提供する。【解決手段】自車両１を出庫開始位置から目標出庫位置まで出庫経路に沿って移動させる出庫支援コントローラを用いて実行する出庫支援方法であって、出庫開始位置に隣接した駐車スペースに隣接の駐車車両２が存在するか否かを判定し、隣接の駐車車両２が存在する場合には、隣接の駐車車両２の位置と、目標出庫位置を設定する通路における車両の通行方向とに応じて、目標出庫位置を設定する。【選択図】図３
2020063044.tif 000002
【特許請求の範囲】
【請求項１】
自車両を出庫開始位置から目標出庫位置まで出庫経路に沿って移動させる出庫支援コントローラを用いて実行する出庫支援方法であって、
前記出庫開始位置に隣接した駐車スペースに隣接の駐車車両が存在するか否かを判定し、
前記隣接の駐車車両が存在する場合には、前記隣接の駐車車両の位置と、前記目標出庫位置を設定する通路における車両の通行方向とに応じて、前記目標出庫位置を設定する出庫支援方法。
【請求項２】
前記隣接の駐車車両が存在する場合には、前記隣接した駐車スペースを含まない前記出庫経路を生成し、
前記隣接の駐車車両が存在しない場合には、前記隣接した駐車スペースを含む前記出庫経路を生成する請求項１に記載の出庫支援方法。
【請求項３】
前記隣接の駐車車両が存在する場合における前記出庫経路は、前記出庫開始位置から直線的に移動する直線移動区間と、前記直線移動区間の終点から前記隣接の駐車車両と干渉しないように旋回する旋回区間とを含み、
前記直線移動区間の距離を、前記隣接の駐車車両と前記自車両との間隔に応じて設定する請求項１又は２に記載の出庫支援方法。
【請求項４】
前記隣接の駐車車両が存在しない場合には、前記直線移動区間の距離を０に設定する請求項３に記載の出庫支援方法。
【請求項５】
前記目標出庫位置を指定する操作者の指令を受け付け、受け付けた前記指令に応じて、前記目標出庫位置を設定する請求項１〜４の何れか１項に記載の出庫支援方法。
【請求項６】
所定の自動設定条件に応じて、前記目標出庫位置を設定する請求項１〜４の何れか１項に記載の出庫支援方法。
【請求項７】
前記所定の自動設定条件は、前記自車両を遠隔操作する操作者の位置に応じて設定された条件である請求項６に記載の出庫支援方法。
【請求項８】
自車両を出庫開始位置から目標出庫位置まで出庫経路に沿って移動させる出庫支援コントローラを備える出庫支援装置であって、
前記出庫支援コントローラは、
前記出庫開始位置に隣接した駐車スペースに隣接の駐車車両が存在するか否かを判定し、
前記隣接の駐車車両が存在する場合には、前記隣接の駐車車両の位置と、前記目標出庫位置を設定する通路における車両の通行方向とに応じて、前記目標出庫位置を設定する出庫支援装置。
【発明の詳細な説明】
【技術分野】
【０００１】
本発明は、出庫支援方法及び装置に関するものである。
【背景技術】
【０００２】
車両を自動で駐車場所から出庫させるシステムとして、出庫位置を設定し、駐車場所から出庫位置までの軌道を生成し、その軌道上に静止物である障害物が検出された場合には、障害物を回避して出庫位置に到達可能な軌道を再設定するものが知られている（例えば、特許文献１参照）。
【先行技術文献】
【特許文献】
【０００３】
【特許文献１】特開２０１３−１７７１２８号公報
【発明の概要】
【発明が解決しようとする課題】
【０００４】
特許文献１に記載のシステムでは、自車両の隣の駐車車両の有無に応じた出庫経路の生成をしておらず、出庫経路の選択肢が狭くなっている。
【０００５】
本発明が解決しようとする課題は、出庫経路の選択肢を広げることができる出庫支援方法および装置を提供することである。
【課題を解決するための手段】
【０００６】
本発明は、出庫開始位置に隣接した駐車スペースに隣接の駐車車両が存在するか否かを判定し、隣接の駐車車両が存在する場合には、隣接の駐車車両の位置と、目標出庫位置を設定する通路における車両の通行方向とに応じて、目標出庫位置を設定することによって、上記課題を解決する。
【発明の効果】
【０００７】
本発明によれば、出庫経路の選択肢を広げることができる。
【図面の簡単な説明】
【０００８】
【図１】本発明の一実施形態に係る駐車及び出庫支援装置の構成を示すブロック図である。
【図２】図１の駐車及び出庫支援ＥＣＵの出庫支援機能を説明するためのブロック図である。
【図３】前向きで出庫する自車両の出庫位置の設定方法を説明するための図及び表である。
【図４】後向きで出庫する自車両の出庫位置の設定方法を説明するための図及び表である。
【図５】自車両の出庫方向を自動で設定する方法を説明するための図である。
【図６】自車両の出庫方向を自動で設定する方法を説明するための図である。
【図７】目的地までの距離に応じて自車両の出庫位置を設定する手順を示すフローチャートである。
【図８】目的地までの所要時間に応じて自車両の出庫位置を設定する手順を示すフローチャートである。
【図９】自車両の出庫方向を自動で設定する方法を説明するための図である。
【図１０】操作者が操作するリモコンキーを示す図である。
【図１１】遠隔操作により出庫させる自車両の出庫位置を手動で設定する方法を説明するための図である。
【図１２】遠隔操作により出庫させる自車両の出庫位置を自動で設定する方法を説明するための図である。
【図１３】遠隔操作により出庫させる自車両１の出庫位置を自動で設定する方法を説明するための図である。
【図１４】遠隔操作により出庫させる自車両１の出庫位置を自動で設定する方法を説明するための図である。
【図１５】遠隔操作により出庫させる自車両１の出庫位置を自動で設定する方法を説明するための図である。
【図１６】無人の駐車場において遠隔操作により出庫させる自車両の出庫位置を自動で設定する方法を説明するための図である。
【図１７】出庫する通路の幅Ｘを推定する方法を説明するための図である。
【図１８】自車両に隣接する駐車車両を検出する方法を説明するための図である。
【図１９】自車両に隣接する駐車車両を検出する方法を説明するための図である。
【図２０】前向きで出庫する自車両の出庫経路の生成処理を説明するための図である。
【図２１】後向きで出庫する自車両の出庫経路の生成処理を説明するための図である。
【図２２】出庫経路の生成処理の手順を示すフローチャートである。
【図２３】出庫経路の生成処理を説明するための図である。
【図２４】出庫経路の生成処理を説明するための図である。
【図２５】他の実施形態に係る出庫経路の生成処理の手順を示すフローチャートである。
【発明を実施するための形態】
【０００９】
以下、本発明の実施形態を図面に基づいて説明する。図１は、本発明の一実施形態に係る駐車及び出庫支援装置１００の構成を示すブロック図である。本実施形態の駐車及び出庫支援装置１００は、車両に搭載され、当該車両を駐車スペースに移動させる（駐車させる）動作及び当該車両を駐車スペースから移動させる（出庫させる）動作を支援する。なお、駐車及び出庫支援装置１００は、当該車両の駐車動作又は出庫動作を遠隔操作により実現してもよい。例えば、当該車両の乗員が、車外においてリモートコントローラや携帯端末等の遠隔操作装置に駐車又は出庫支援を開始する指示を入力することにより、当該車両の駐車又は出庫動作を実現させるようにしてもよい。
【００１０】
本実施形態の駐車及び出庫支援装置１００は、カメラ群１０と、測距装置１５と、移動距離センサ２０と、操舵角センサ３０と、メインスイッチ４０と、駐車及び出庫支援ＥＣＵ（Electronic control unit）５０と、車両制御ＥＣＵ６０と、ナビゲーションシステム７０とを備える。なお、駐車及び出庫支援装置１００は、不図示のエンジン制御ＥＣＵやステアリングのパワーアシストＥＣＵ等の通常車両に搭載されているハードウェア群も備える。これらの各構成は、相互に情報の授受を行うためにＣＡＮ（Controller Area Network）やその他の車載ＬＡＮによって接続されている。
【００１１】
カメラ群１０は、例えば、図示するように、前方カメラ１１と、右側方カメラ１２と、左側方カメラ１３と、後方カメラ１４とを備える。前方カメラ１１は、車両のフロントバンパー又はその近傍に設置され、自車両の前方を撮像して画像情報を駐車及び出庫支援ＥＣＵ５０に出力する。右側方カメラ１２は、車両の右側方（例えば、車両の前端右側部）に設置され、自車両の右側方を撮像して画像情報を駐車及び出庫支援ＥＣＵ５０に出力する。左側方カメラ１３は、車両の左側方（例えば、車両の前端左側部）に設置され、自車両の左側方を撮像して画像情報を駐車及び出庫支援ＥＣＵ５０に出力する。後方カメラ１４は、車両のリアバンパー又はその近傍に設置され、自車両の後方を撮像して画像情報を駐車及び出庫支援ＥＣＵ５０に出力する。
【００１２】
測距装置１５は、ミリ波レーダー、レーザーレーダー、超音波レーダーなどのレーダー装置又はソナーであり、カメラ１１〜１４と同様の位置に設置され、車両の周囲の障害物、歩行者、他車両等の存否、これらの位置、これらまでの距離を検出する。
【００１３】
移動距離センサ２０は、自車両の移動量を算出して駐車及び出庫支援ＥＣＵ５０に出力する。移動距離センサ２０は、例えば、自車両の車輪の回転数を検出する回転数センサ等を用いて構成することができる。
【００１４】
操舵角センサ３０は、例えば、ステアリングコラムの内部に設置され、ステアリングホイールの回転角を検出して駐車及び出庫支援ＥＣＵ５０に出力する。
【００１５】
メインスイッチ４０は、駐車支援及び出庫支援の開始を指示するためにユーザに操作されるスイッチであり、操作されていない状態ではオフ信号を駐車及び出庫支援ＥＣＵ５０に出力し、操作されるとオン信号を駐車及び出庫支援ＥＣＵ５０に出力する。このメインスイッチ４０は、例えば、車外で遠隔操作をする乗員が保持するリモートコントローラや携帯端末等の遠隔操作装置や、自車両のインストルメントパネルの周辺やステアリングホイールの周辺等の運転手が車内で操作可能な位置等に設置される。なお、メインスイッチ４０は、ネットワークを介して車両と通信可能なスマートフォン等の携帯端末の画面に設けられるソフトウェアスイッチや、ナビゲーション装置の画面に設けられるソフトウェアスイッチ等にしてもよい。
【００１６】
駐車及び出庫支援ＥＣＵ５０は、駐車及び出庫支援装置１００を統括的に制御するコントローラである。駐車及び出庫支援ＥＣＵ５０は、駐車及び出庫支援プログラムが格納されたＲＯＭ５２と、このＲＯＭ５２に格納されたプログラムを実行することで、本実施形態の駐車及び出庫支援装置１００として機能する動作回路としてのＣＰＵ５１と、アクセス可能な記憶装置として機能するＲＡＭ５３とを備える。この駐車及び出庫支援ＥＣＵ５０は、カメラ群１０、測距装置１５、移動距離センサ２０、操舵角センサ３０、メインスイッチ４０から検出情報又は指令が入力され、自車両の目標操舵角と目標車速とを算出して車両制御ＥＣＵ６０に出力する。
【００１７】
車両制御ＥＣＵ６０は、車両の駆動制御を行うコントローラである。車両制御ＥＣＵ６０は、車両駆動制御プログラムが格納されたＲＯＭ６２と、このＲＯＭ６２に格納されたプログラムを実行することで、車両制御装置として機能する動作回路としてのＣＰＵ６１と、アクセス可能な記憶装置として機能するＲＡＭ６３とを備える。この車両制御ＥＣＵ６０は、駐車及び出庫支援ＥＣＵ５０から車両の目標操舵角と目標車速とが入力され、エンジン制御ＥＣＵやステアリングのパワーアシストＥＣＵ等と連携して、車両の駆動制御を行う。
【００１８】
図２は、駐車及び支援ＥＣＵ５０の出庫支援機能を説明するためのブロック図である。この図に示すように、駐車及び出庫支援ＥＣＵ５０は、出庫位置設定部５０１と、出庫開始位置設定部５０２と、通路幅推定部５０３と、周囲物体検出部５０４と、出庫経路生成部５０５と、出庫経路追従制御部５０６と、目標速度生成部５０７とを備える。また、車両制御ＥＣＵ６０は、操舵角制御部６０１と、速度制御部６０２とを備えている。さらに、ナビゲーションシステム７０は、現在位置推定部７０１を備える。この現在位置推定部７０１は、自車両の現在位置を推定して出庫開始位置設定部５０２及び出庫経路追従制御部５０６に出力する。この現在位置の推定処理では、ＧＰＳ（Global Positioning System）を利用して自車両の現在位置を測定したり、路車間通信により現在位置を取得したり、ステアリングの操舵量及びアクセルの操作量に基づいて現在位置を算出したり、車両の移動量、位置を累積して、現在位置を算出することを例示できる。
【００１９】
出庫位置設定部５０１は、自動運転により自車両を駐車位置から出庫させる位置（以下、目標出庫位置という）を設定する。ここで、自車両に隣接した駐車車両の有無や当該駐車車両と自車両との位置関係等により、自車両の出庫方向が制約される場合と制約されない場合とがある。隣接の駐車車両により自車両の出庫方向が制約される場合には、出庫位置設定部５０１は、当該駐車車両と自車両との位置関係や出庫する通路の右側通行と左側通行との別に応じて、出庫位置を設定する。一方、隣接の駐車車両が存在しない場合や隣接の駐車車両により自車両の出庫方向が制約されない場合には、出庫位置設定部５０１は、後述の種々の方法により出庫位置を設定する。
【００２０】
ここで、隣接の駐車車両により自車両の出庫方向が制約される場合に出庫位置設定部５０１が設定する出庫位置は、乗員の選択によっては変更できないもの、即ち、出庫位置を制限するものであってもよく、乗員の選択によって変更できるもの、即ち、初期設定するものや推奨するもの等であってもよい。
【００２１】
図３及び図４は、自車両１の出庫位置の設定方法を説明するための図及び表である。図３には、自車両１が前向きで出庫する場合の出庫位置の設定方法を説明するための表及び図を示し、図４には、自車両１が後向きで出庫する場合の出庫位置の設定方法を説明するための表及び図を示している。
【００２２】
図３の左側の図に示すように、前向きで出庫する自車両１の右側に隣接の駐車車両２が存在し、出庫する通路が右側通行である場合には、自車両１から見て左側が右側よりも出庫し易いことから、自車両１から見て左側の右側通行帯に出庫位置を設定する。それに対して、前向きで出庫する自車両１の右側に隣接の駐車車両２が存在し、出庫する通路が左側通行である場合には、自車両１の出庫のし易さは自車両１から見て左側と右側とで大きな差は無いことから、自車両１の出庫位置は制約されない。なお、自車両１の出庫のし易さは、後述する直線移動区間の距離の長短や旋回半径の大小や切り返し回数の多少によって判断している。
【００２３】
一方、図３の右側の図に示すように、前向きで出庫する自車両１の左側に隣接の駐車車両２が存在し、出庫する通路が左側通行である場合には、自車両１から見て右側が左側よりも出庫し易いことから、自車両１から見て右側の左側通行帯に出庫位置を設定する。それに対して、前向きで出庫する自車両１の左側に隣接の駐車車両２が存在し、出庫する通路が右側通行である場合には、自車両１の出庫のし易さは自車両１から見て左側と右側とで大きな差は無いことから、自車両１の出庫位置は制約されない。
【００２４】
図４の左側の図に示すように、後向きで出庫する自車両１の右側（運転手から見て左側）に隣接の駐車車両２が存在し、出庫する通路が右側通行である場合には、自車両１から見て右側（運転手から見て後方左側）が左側（運転手から見て後方右側）よりも出庫し易いことから、自車両１から見て右側（運転手から見て後方左側）の右側通行帯に出庫位置を設定する。それに対して、後向きで出庫する自車両１の右側に隣接の駐車車両２が存在し、出庫する通路が左側通行である場合には、自車両１の出庫のし易さは自車両から見て左側と右側とで大きな差は無いことから、自車両１の出庫位置は制約されない。なお、後向きで出庫する場合には、前輪車軸を基準に旋回するところ、図４の左側の図に実線矢印で示すように、自車両から見て右側に出庫する場合には、旋回時の左前輪と隣接の駐車車両２とのクリアランスが大きいのに対して、図４の左側の図に破線矢印で示すように、自車両から見て左側に出庫する場合には、旋回時の左前輪と隣接の駐車車両２とのクリアランスが比較的小さくなる。従って、図４の左側の図に示す状況では、自車両１から見て右側が左側よりも出庫し易いということになる。
【００２５】
一方、後向きで出庫する自車両１の左側（運転手から見て右側）に隣接の駐車車両２が存在し、出庫する通路が左側通行である場合には、自車両１から見て左側（運転手から見て後方右側）が右側（運転手から見て後方左側）よりも出庫し易いことから、自車両１から見て左側（運転手から見て後方右側）の左側通行帯に出庫位置を設定する。それに対して、後向きで出庫する自車両１の左側に隣接の駐車車両２が存在し、出庫する通路が右側通行である場合には、自車両１の出庫のし易さは自車両１から見て左側と右側とで大きな差は無いことから、自車両１の出庫位置は制約されない。
【００２６】
ここで、隣接の駐車車両２の存在により自車両１の出庫位置が制約されない場合には、自車両１の出庫位置は、自動又は手動で設定される。図５〜図１６は、自車両１の出庫方向を自動又は手動で設定する方法を説明するための図である。
【００２７】
まず、図５に示すように、自車両１の出庫位置を自動で設定する方法として、出庫する通路の通行方向に出庫方向を設定する方法を例示できる。ここで、出庫する通路の通行方向の設定方法としては、下記（１）〜（４）の方法を例示できる。
（１）カメラ１１〜１４の画像情報から、進行方向を指示する標識や路面のマークを検出し、検出した標識や路面のマークが指示する方向に設定する。
（２）カメラ１１〜１４の画像情報、又は測距装置１５の測距情報から、他車両の走行方向を検出し、検出した他車両の走行方向に設定する。
（３）自車両が駐車位置に入庫するまでの走行方向を含む走行履歴を記録し、走行履歴に含まれる走行方向に設定する。
（４）駐車場の基地局から通行方向を受信し、受信した通行方向に設定する。
【００２８】
自車両１の出庫位置を自動で設定する方法として、自車両１の過去の出庫履歴に基づいて設定する方法を例示できる。この設定方法では、下記（１）式で表される判定値Ｊが正の値である場合には、出庫方向を右に設定し、判定値Ｄが負の値である場合には、出庫方向を左に設定する。
【数１】
2020063044.tif 000003
但し、Ｔｉは経過時間であり、Ｄｉは出庫方向であって、右方向の場合にはＤｉ＝＋１、左方向の場合にはＤｉ＝−１である。
【００２９】
表１には、出庫履歴の一例を示している。この表に示す駐車場Ａについては、Ｊ＝（（（１／１）×（＋１））＋（（１／２）×（＋１））＋（（１／２）×（＋１）））＝＋２となり、右方向となる。また、駐車場Ｂについては、Ｊ＝（（（１／２）×（−１）＋（（１／２）×（−１））＋（（１／４）×（−１）））＝−１．２５となり、左方向となる。さらに、駐車場Ｃについては、Ｊ＝（（（１／２）×（＋１）＋（（１／１）×（＋１））＋（（１／１）×（−１）））＝＋０．５となり、右方向となる。このように、上記（１）式の中に経過時間を含めることにより、直近の出庫履歴を優先して、判定することができるようになる。つまりは、過去に左方向に優先的に出庫していた場合であっても、直近が右方向に優先的に出庫していた場合は、右方向に出庫する。これにより、現在の出庫する環境に適した出庫ができるようになる。また下記表１の経過時間は、１時間など、時間を単位にしているが必ずしもそれに限らず、秒、分、及び、日などでもよい。
【表１】
2020063044.tif 000004
【００３０】
図６に示すように、自車両１の出庫位置を自動で設定する方法としては、ナビゲーションシステム７０において探索された目標地点への経路Ｒの方向に出庫方向を設定する方法を例示できる。
【００３１】
図７及び図８は、一実施例に係る自車両１の出庫位置を自動で設定する手順を示すフローチャートである。図７は、目的地までの距離に応じて自車両１の出庫位置を設定する手順を示すフローチャートである。この図のフローチャートに示すように、まず、ステップＳ１において、出庫位置設定部５０１は、右方向に出庫する場合の目的地までの距離を算出する。次に、ステップＳ２において、出庫位置設定部５０１は、左方向に出庫する場合の目的地までの距離を算出する。次に、ステップＳ３において、出庫位置設定部５０１は、右方向に出庫する場合の目的地までの距離が、左方向に出庫する場合の目的地までの距離よりも短いか否かを判定する。肯定判定の場合はステップＳ４に進み、否定判定の場合はステップＳ５に進む。ステップＳ４では、出庫位置設定部５０１は、出庫方向を右方向に設定する。一方、ステップＳ５では、出庫位置設定部５０１は、出庫方向を左方向に設定する。以上で処理を終了する。
【００３２】
図８は、目的地までの所要時間に応じて自車両１の出庫位置を設定する手順を示すフローチャートである。この図のフローチャートに示すように、まず、ステップＳ１１において、出庫位置設定部５０１は、右方向に出庫する場合の目的地までの所要時間を算出する。次に、ステップＳ１２において、出庫位置設定部５０１は、左方向に出庫する場合の目的地までの所要時間を算出する。次に、ステップＳ１３において、出庫位置設定部５０１は、右方向に出庫する場合の目的地までの所要時間が、左方向に出庫する場合の目的地までの所要時間よりも短いか否かを判定する。肯定判定の場合はステップＳ１４に進み、否定判定の場合はステップＳ１５に進む。ステップＳ１４では、出庫位置設定部５０１は、出庫方向を右方向に設定する。一方、ステップＳ１５では、出庫位置設定部５０１は、出庫方向を左方向に設定する。以上で処理を終了する。
【００３３】
図９に示すように、自車両１の出庫位置を自動で設定する方法としては、切り返し回数の少ない方向に出庫方向を設定する方法を例示できる。図９の左側に示すように、左方向に出庫する場合には切り返し回数が２回になるのに対して、図９の右側に示すように、右方向に出庫する場合には切り返し回数が０回になるような場合には、出庫方向を右方向に設定する。
【００３４】
次に、遠隔操作により自車両１を出庫させる場合における自車両１の出庫位置の設定方法について説明する。遠隔操作により出庫させる自車両１の出庫位置を手動で設定する方法としては、ナビゲーションシステム７０のタッチパネルディスプレイ又は操作キーの操作に応じて設定する方法、スマートフォン等の携帯端末のタッチパネルディスプレイ又は操作キーの操作に応じて設定する方法、ウインカーレバーの操作に応じて設定する方法、ステアリングの操作時に検出される操舵角、操舵トルクに応じて設定する方法、リモコンキーのボタンの操作に応じて設定する方法等を例示できる。なお、図１０に示すように、リモコンキー３には、左方向への出庫を指示するためのボタン３Ｌと、右方向への出庫を指示するためのボタン３Ｒとを設ければよい。
【００３５】
また、図１１に示すように、遠隔操作により出庫させる自車両１の出庫位置を手動で設定する方法としては、操作者４の動作に応じて設定する方法を例示できる。例えば、操作者４が出庫方向を腕で指示し、その操作者４の動作を、自車両１のカメラ１１〜１４や測距装置１５等の車載のセンサや、操作者４が保持する携帯端末又はリモコンや、駐車場に設置されたセンサ等により検出し、操作者４が指示する方向を出庫方向に設定する方法を挙げることができる。
【００３６】
遠隔操作により出庫させる自車両１の出庫位置を自動で設定する方法としては、図１２に示すように、操作者４の近傍に出庫位置を設定する方法を例示できる。なお、操作者４の位置の検出方法としては、自車両１のカメラ１１〜１４や測距装置１５等の車載のセンサや、操作者４が保持する携帯端末又はリモコンや、駐車場に設置されたセンサ等により検出する方法を例示できる。また、出庫方向の選択方法としては、右方向の出庫位置と操作者４との距離と、左方向の出庫位置と操作者４との距離とを比較し、距離が短い方向の出庫位置を選択する方法を例示できる。
【００３７】
また、遠隔操作により出庫させる自車両１の出庫位置を自動で設定する方法としては、図１３及び図１４に示すように、操作者４が自車両１に乗り込み易い位置に出庫位置を設定する方法を例示できる。操作者４が自車両１に乗り込み易い位置としては、図１３に示すように、自車両１の運転席側のドアと壁５との間に操作者４が運転席に乗り込めるだけのスペースＳを確保できる位置や、図１４に示すように、自車両１の助手席側のドアと壁５との間に操作者４が助手席に乗り込めるだけのスペースＳを確保できる位置を例示できる。
【００３８】
また、遠隔操作により出庫させる自車両１の出庫位置を自動で設定する方法としては、図１５に示すように、駐車位置と出庫位置との間に他車両６が通行できるだけのスペースＳを確保できる位置を例示できる。
【００３９】
また、図１６に示すように、無人の駐車場において遠隔操作により出庫させる自車両１の出庫位置を自動で設定する方法としては、駐車場の基地局７からの指令に応じて出庫方向を設定する方法を例示できる。基地局７から指示される出庫方向としては、駐車場の出口８までの距離が短くなる方向や、他車両６の進行方向に従った方向等を例示できる。
【００４０】
図２に戻り、出庫開始位置設定部５０２は、出庫支援処理の開始時の位置（以下、出庫開始位置という）を設定して出庫経路生成部５０５に出力する。出庫開始位置設定部５０２は、例えば、メインスイッチ４０が操作されると、その時点での自車両１の現在位置を現在位置推定部７０１から取得し、取得した現在位置を出庫開始位置に設定する。
【００４１】
通路幅推定部５０３は、出庫する通路の幅（以下、通路幅という）Ｘを推定して出庫経路生成部５０５に出力する。例えば、図１７に示すように、駐車スペース９と壁５との間の通路に出庫する場合には、駐車スペース９の枠の位置をカメラ１１〜１４の画像情報から検出し、自車両１から壁５までの距離を測距装置１５の測距情報やカメラ１１〜１４の画像情報から検出し、これらの検出情報に基づいて、駐車スペース９の枠と壁５との間の通路幅Ｘを推定すればよい。なお、駐車スペース９の位置に代えて駐車車両２の位置を検出し、駐車車両２と壁５との距離を通路幅Ｘとして推定してもよく、あるいは、自車両１と壁５との距離を通路幅Ｘとして推定してもよい。また、通路幅Ｘは、入庫時に測距装置１５の測距情報やカメラ１１〜１４の画像情報に基づいて推定して記録してもよい。また、自車両１から壁５までの距離を測定するセンサとしては、ソナーセンサ、赤外線センサ、レーザーセンサ、レーダーセンサ、ステレオカメラ等を例示できる。さらに、通路幅Ｘを、カメラ１１〜１４や測距装置１５の検出情報に基づいて推定することは必須ではなく、例えば、車外との通信、いわゆる路車間通信、車車間通信により、通路幅Ｘの情報を取得してもよい。ここで、路車間通信としては、駐車場の基地局と自車両１との間での通信を例示できる。
【００４２】
図２に戻り、周囲物体検出部５０４は、自車両１に隣接する駐車車両２を検出して出庫経路生成部５０５に出力する。図１８に示すように、隣接の駐車車両２の検出方法としては、カメラ１１〜１４や測距装置１５等の車載のセンサにより検出する方法を例示できる。車載のセンサとしては、ソナーセンサ、赤外線センサ、レーザーセンサ、レーダーセンサ、ステレオカメラ等を例示できる。ここで、隣接の駐車車両２の有無の判定条件としては、車載のセンサの検出範囲ＲＤに入った物体と自車両１との距離が、閾値以下の場合に隣接の駐車車両２が有ると判定する判定条件を例示できる。この場合の閾値は、一般的な駐車場における駐車車両２の相互間の距離に基づいて設定すればよい。
【００４３】
図１９に示すように、隣接の駐車車両２の検出方法としては、隣接の駐車枠の奥側の白線ＷＬの検出状態から隣接の駐車車両２の有無を検出する方法を例示できる。ここで、隣接の駐車車両２の有無の判定条件としては、検出された白線ＷＬの長さが閾値以下の場合に隣接の駐車車両２が有ると判定する判定条件を例示できる。この場合の閾値は、一般的な白線ＷＬの長さと比較して若干短い長さに設定すればよい。
【００４４】
なお、隣接の駐車車両２の有無を車載のセンサを用いて検出することは必須ではなく、例えば、車外との通信、いわゆる路車間通信、車車間通信により、隣接の駐車車両２の有無の情報を取得してもよい。ここで、路車間通信としては、駐車場の基地局と自車両１との間での通信を例示できる。
【００４５】
図２に戻り、出庫経路生成部５０５は、出庫開始位置設定部５０２により設定された出庫開始位置から、出庫位置設定部５０１により設定された出庫位置までの経路（以下、出庫経路という）を生成して出庫経路追従制御部５０６と目標速度生成部５０７とに出力する。この出庫経路の生成処理では、隣接の駐車車両２の有無及び隣接の駐車車両２と自車両１との位置関係に応じて、出庫経路を算出する。
【００４６】
図２０は、前向きで出庫する自車両１の出庫経路の生成処理を説明するための図であり、図２１は、後向きで出庫する自車両１の出庫経路の生成処理を説明するための図である。図２０に示すように、自車両１の隣に駐車車両等の隣接物体が存在し、隣接物体が存在する側に前向きで出庫する場合には、まず、直線的に前進（以下、直線移動という）し、その後、隣接物体と干渉しないように旋回して出庫する出庫経路を生成する。
【００４７】
図２０に示す状況では、出庫経路生成部５０５は、下記（２）、（３）式を満たす出庫経路を生成する。
【数２】
2020063044.tif 000005
【数３】
2020063044.tif 000006
但し、Ｌは、出庫開始位置からの直線移動区間の距離（以下、直線移動距離という）であり、ｌ０は、出庫開始位置に位置する自車両１の後輪車軸から隣接物体の前端までの距離であり、ｌ１は、Ｌだけ前進した自車両１の後輪車軸から隣接物体の前端までの距離であり、ｗは、自車両１と隣接物体とのクリアランスであり、Ｒは、Ｌだけ前進した自車両１の後輪且つ内輪を基準とした旋回半径である。
【００４８】
図２１に示すように、自車両１の両側に隣接車両等の隣接物体が存在し、一方の隣接物体の側に後向きで出庫する場合には、まず、直線的に後進（以下、直線移動という）し、その後、両側の隣接物体と干渉しないように旋回して出庫する出庫経路を生成する。かかる状況では、出庫経路生成部５０５は、上記（２）、（３）式を満たす後輪且つ内輪の経路と、上記（２）、下記（４）式を満たす前輪且つ外輪の経路とを算出し、出庫開始位置からの直線移動距離Ｌが長い方の経路を出庫経路として生成する。
【数４】
2020063044.tif 000007
但し、Ｔは、自車両１の車幅である。
【００４９】
ここで、直線移動距離Ｌを含む出庫経路を生成することは必須ではない。例えば、出庫開始位置から旋回を始めても隣接物体と干渉しない場合や、隣接物体が存在しない場合には、直線移動距離をＬ＝０としてもよい。本実施形態では、出庫経路生成部５０５が、出庫開始位置に位置する自車両１の後輪車軸と隣接物体の前端との距離がｌ１未満である場合、及び隣接物体が検出されていない場合に、直線移動距離がＬ＝０である出庫経路を生成する。但し、自車両１の隣のスペースが走行禁止エリアである場合や路面状態の悪いエリアである場合には、出庫経路生成部５０５は、隣接物体が存在する場合と同様に、直線移動距離Ｌを含む出庫経路を生成する。なお、路面状態の悪いエリアとしては、水溜り、泥、雪、氷、油等が存在するエリアを例示することができ、このようなエリアを通過しない出庫経路を生成することにより、車体の汚れやスリップによる出庫支援の精度低下を防止できる。
【００５０】
図２２は、出庫経路の生成処理の手順を示すフローチャートであり、図２３及び図２４は、出庫経路の生成処理を説明するための図である。図２２のフローチャートで示す出庫経路の生成処理は、メインスイッチ４０が操作されて出庫支援の開始が指示されると開始されてステップＳ１０１に進む。
【００５１】
ステップＳ１０１において、出庫経路生成部５０５は、出庫開始位置に位置する自車両１の後輪車軸から、出庫する通路の奥側端部（壁や駐車枠等）までの距離（以下、奥行設定値という）を、カメラ１１〜１４の画像情報や測距装置１５の測距情報に基づいて算出する。次に、ステップＳ１０２において、出庫経路生成部５０５は、出庫する通路に目標出庫ラインＴＬを設定する。ここで、目標出庫ラインＴＬとしては、出庫する通路の中心線（図２３参照）や、出庫する通路を幅方向に２分した手前側又は奥側通路の中心線等を例示できる。なお、ステップＳ１０１をステップＳ１０２に先行して実行するのは必須ではなく、ステップＳ１０２をステップＳ１０１に先行して実行してもよい。
【００５２】
次に、ステップＳ１０３において、出庫経路生成部５０５は、周囲物体検出部５０４により隣接の駐車車両２が検出されたか否かを判定する。本ステップにおいて肯定判定がされた場合にはステップＳ１０４に進み、否定判定がされた場合にはステップＳ１０５に進む。ステップＳ１０４において、出庫経路生成部５０５は、前向き出庫の場合には上記（２）、（３）式に基づいて、後向き出庫の場合には、上記（２）〜（４）式に基づいて、直線移動距離Ｌを算出する。なお、自車両１の後輪車軸と隣接の駐車車両２の前端との位置関係によっては、直線移動距離がＬ＝０になる場合もある。一方、ステップＳ１０５では、出庫経路生成部５０５は、直線移動距離をＬ＝０に設定する。
【００５３】
ステップＳ１０４、Ｓ１０５の次に、ステップＳ１０６において、出庫経路生成部５０５は、前向き出庫の場合には上記（２）、（３）式に基づいて、後向き出庫の場合には、上記（２）〜（４）式に基づいて、旋回半径Ｒを算出し、ステップＳ１０４、Ｓ１０５で設定した直線移動距離Ｌと本ステップで算出した旋回半径Ｒとに応じた出庫経路を生成する。
【００５４】
ここで、図２３に示すように、隣接する駐車車両２が存在する場合には、旋回する自車両１と隣接の駐車車両２との間に乗員が違和感を感じない程度のクリアランスができるように、直線移動距離Ｌと旋回半径Ｒとが設定される。そのため、隣接の駐車車両２が存在する場合には、自車両１が隣接の駐車スペース９の外を通過するような出庫経路が生成される。それに対して、図２４に示すように、隣接の駐車車両２が存在しない場合には、自車両１が隣接の駐車スペース９の中を通過するような出庫経路が生成される。
【００５５】
図２２に戻り、ステップＳ１０７において、出庫経路生成部５０５は、ステップＳ１０６において生成された出庫経路に沿って自車両１を出庫させた場合に目標出庫ラインＴＬに到達できるか否かを判定する。本ステップにおいて肯定判定がされた場合にはステップＳ１０８に進み、否定判定がされた場合にはステップＳ１０９に進む。
【００５６】
ステップＳ１０８では、出庫経路生成部５０５が、ステップＳ１０６において生成された出庫経路に沿って自車両１を出庫させた場合に、ステップＳ１０１において設定した奥行設定値に対応する通路幅内で自車両１が進行できるか否かを判定する。本ステップにおいて肯定判定がされた場合には処理を終了し、否定判定がされた場合にはステップＳ１０９に進む。
【００５７】
ステップＳ１０９では、出庫経路生成部５０５が、切り返しを含む出庫経路を生成する。その後、ステップＳ１０７に戻り、ステップＳ１０７〜Ｓ１０９が繰り返し実行される。ここで、ステップＳ１０７又はステップＳ１０８において再度否定判定がされた場合には、切り返し回数が複数回の出庫経路が生成されることになる。
【００５８】
以上説明したように、本実施形態に係る出庫支援方法では、隣接の駐車車両２が存在する場合には、隣接の駐車車両２の位置と、出庫する通路における車両の通行方向とに応じて、目標出庫位置を設定する（図３及び図４参照）。例えば、上述したように、右側に隣接の駐車車両２が存在し、出庫する通路が右側通行であり、前向きで出庫する場合には、左側に出庫位置を設定する。これにより、出庫開始位置から目標出庫位置まで緩やかに旋回する出庫経路を生成することが可能になり、出庫時に乗員に与える違和感を低減できる。
【００５９】
また、本実施形態に係る出庫支援方法では、自車両１の出庫開始位置に隣接した駐車スペース９に隣接の駐車車両２が存在するか否かを判定し、隣接の駐車車両２が存在しない場合には、隣接した駐車スペース９を含む出庫経路を生成する（図２４参照）。これにより、例えば、駐車位置への駐車過程において経路を記録し、その記録した経路を出庫経路とする場合や、予め出庫経路を設定する場合等の隣接の駐車車両２の有無にかかわらず出庫経路を生成する場合と比較して、出庫経路の選択肢を広げることができる。
【００６０】
ここで、隣接の駐車スペース９を含む出庫経路を生成する場合には、隣接の駐車スペース９を含まない出庫経路を生成する場合と比較して、出庫開始位置からの直線移動距離Ｌを小さくしたり、旋回半径を小さくしたりすることが可能になる。これにより、目標出庫ラインＴＬに到達することが容易になり、切り返し回数を低減したり、出庫時間を短縮したりすることが可能になる。
【００６１】
ところで、空いたスペースをカメラの画像情報等から検出し、その空いたスペースを通る出庫経路を生成する方法が考えられる。この方法において空いたスペースをカメラの画像情報から検出する場合には、昼間の強い日差しや暗い影、夜間の照明不足、逆行やライトの反射等が障害となることから、屋外では検出精度を確保することが難しく、地下や屋内に限られる。従って、周囲環境によっては、空いたスペースの詳細（例えば、幅、長さ、白線検知有無など）を見積もること、空いたスペースを精度良く見積ることが難しく、出庫経路を精度良く生成することができない場合がある。
【００６２】
それに対して、本実施形態に係る出庫支援方法では、隣接の駐車車両２の有無をカメラの画像情報や測距装置１５の測距情報に基づいて検出するところ、隣接の駐車車両２の有無の検出精度を確保することは、周囲の明るさ等にかかわらず、即ち、屋内であるか屋外であるかにかかわらず容易である。つまり、隣接の駐車車両２の有無の検出は、空いたスペースの詳細を見積もることや、空いたスペースを精度良く見積ることに比べると、容易である。従って、周囲環境にかかわらず、出庫経路を生成するスペースを精度良く見積もることができ、出庫経路を精度良く生成することができる。
【００６３】
また、本実施形態に係る出庫支援方法では、隣接の駐車車両２が存在する場合、出庫開始位置から直線的に移動する直線移動区間と、直線移動区間の終点から隣接の駐車車両２と干渉しないように旋回する旋回区間とを含む出庫経路を生成する（図２３参照）。ここで、直線移動区間の距離Ｌを、隣接の駐車車両２と自車両１との間隔Ｗに応じて設定する（図２０及び図２１参照）。これにより、隣接の駐車車両２が存在する場合に、隣接の駐車車両２と干渉しない出庫経路を生成する一方、隣接の駐車車両２が存在しない場合には、隣接の駐車スペース９を含む出庫経路を生成することが可能になる。
【００６４】
また、本実施形態に係る出庫支援方法では、隣接の駐車車両２が存在しない場合には、直線移動区間の距離Ｌを０に設定する。これにより、隣接の駐車車両２が存在しない場合に隣接の駐車スペース９を含む出庫経路を生成することができる。
【００６５】
また、本実施形態に係る出庫支援方法では、目標駐車位置を指定する操作者の指令を受け付け、受け付けた指令に応じて、目標駐車位置を設定する（図１０及び図１１参照）。例えば、上述したように、リモコンキー３のボタン３Ｌ、３Ｒによる操作者の指令を受け付けたり、操作者４の動作を検出することで操作者４の指令を受け付けたりする。これにより、操作者４の要望に応じた位置への出庫が可能になり、出庫時に操作者４に与える違和感を低減できる。
【００６６】
また、本実施形態に係る出庫支援方法では、所定の自動設定条件に応じて、目標出庫位置を設定する（図５〜図９、図１２〜図１６参照）。例えば、出庫する通路の通行方向と出庫方向とが一致するように目標出庫位置を設定したり（図５参照）、ナビゲーションシステム７０において探索された目標地点への経路Ｒの方向と出庫方向とが一致するように目標出庫位置を設定したり（図６参照）、切り返し回数が少なくなる方向に目標出庫位置を設定したり（図９参照）する。これにより、出庫時に乗員に与える違和感を低減できる。
【００６７】
また、本実施形態に係る出庫支援方法では、自車両１を遠隔操作する操作者４の位置に応じて、目標出庫位置を設定する（図１２〜図１４参照）。例えば、操作者４の近傍に目標駐車位置を設定したり（図１２参照）、自車両１の運転席側のドアと壁５との間に操作者４が運転席に乗り込めるだけのスペースＳを確保できる位置に目標駐車位置を設定したり（図１３参照）、自車両１の助手席側のドアと壁５との間に操作者４が助手席に乗り込めるだけのスペースＳを確保できる位置に目標駐車位置を設定したり（図１４参照）する。これにより、遠隔操作する操作者４に与える違和感を低減できる。
【００６８】
図２５は、他の実施例に係る出庫経路の生成処理の手順を示すフローチャートである。図２５のフローチャートで示す出庫経路の生成処理は、メインスイッチ４０が操作されて出庫支援の開始が指示されると開始されて図２２に示すフローチャートのステップＳ１０１〜Ｓ１０５が実行される。
【００６９】
ステップＳ１０４及びステップＳ１０５の次に、ステップＳ１１０において、出庫経路生成部５０５は、直線移動距離Ｌを変更する。本ステップでは、ステップＳ１０４又はステップＳ１０５において設定した直線移動距離Ｌを延長する。次に、ステップＳ１０６において、出庫経路生成部５０５は、前向き出庫の場合には上記（２）、（３）式に基づいて、後向き出庫の場合には、上記（２）〜（４）式に基づいて、旋回半径Ｒを算出し、ステップＳ１１０で設定した直線移動距離Ｌと本ステップで算出した旋回半径Ｒとに応じた出庫経路を生成する。
【００７０】
次に、図２２に示すフローチャートのステップＳ１０７〜Ｓ１０９が実行される。ステップＳ１０７において目標出庫ラインに到達可能であると判定され、さらに、ステップＳ１０８において奥行設定値の範囲内で進行可能であると判定された場合には、ステップＳ１１１において、出庫経路生成部５０５は、生成した出庫経路が所定の判定条件を満たすか否かを判定する。本ステップにおいて否定判定がされた場合にはステップＳ１１０に戻り、再度、直線移動距離Ｌが変更され、ステップＳ１０６〜Ｓ１０９、Ｓ１１１が実行される。それに対して、本ステップにおいて肯定判定がされた場合には処理を終了する。
【００７１】
ここで、ステップＳ１１０における直線移動距離Ｌの変更処理は、通路幅や目標出庫位置に応じて実行される。例えば、通路幅が広くなるほど、出庫開始位置から目標出庫位置までの距離が長くなるほど、直線移動距離Ｌを長くする。
【００７２】
ステップＳ１１１の所定の判定条件としては、出庫経路の総距離が所定距離以下であるか否か、出庫時間が所定時間以下であるか否か等の判定条件を例示できる。この判定条件における所定距離又は所定時間は、乗員又は遠隔操作する操作者が違和感を感じない程度の長さに設定することを例示できる。また、ステップＳ１１０、Ｓ１０６〜Ｓ１０９、Ｓ１１１のループを必ず複数回繰り返し、その間に生成される複数の出庫経路の中から、距離や時間等の条件に基づいて最適な出庫経路を選択することを例示できる。この場合におけるステップＳ１１１の所定の判定条件としては、生成された複数の出庫経路の中から、距離や時間等の評価点の合算値が最も高くなる出庫経路を選択するという判定条件を例示できる。
【００７３】
以上説明したように、本実施形態に係る出庫支援方法では、直線移動距離Ｌを、通路幅や目標出庫位置等の条件に応じて設定し、設定した直線移動距離Ｌを含み、所定の判定条件を満たす出庫経路を生成する。これにより、乗員や操作者の感覚に対して適合的な出庫経路を生成することが可能になる。
【００７４】
なお、以上説明した実施形態は、本発明の理解を容易にするために記載されたものであって、本発明を限定するために記載されたものではない。したがって、上記の実施形態において開示された各要素は、本発明の技術的範囲に属する全ての設計変更や均等物をも含む趣旨である。
【００７５】
例えば、上述の実施形態では、隣接の駐車車両２が存在する場合には、隣接の駐車スペース９を含まない出庫経路を生成したが、これは必須ではなく、隣接の駐車車両２に干渉することなく旋回できるのであれば、隣接の駐車スペース９を含む出庫経路を生成してもよい。
【符号の説明】
【００７６】
１      自車両
２      駐車車両
９      駐車スペース
５０    駐車及び出庫支援ＥＣＵ
１００  駐車及び出庫支援装置
Ｌ      直線移動区間の距離，直線移動距離
Ｗ      自車両１と隣接の駐車車両２との間隔
【図１】
2020063044.tif 000008
【図２】
2020063044.tif 000009
【図３】
2020063044.tif 000010
【図４】
2020063044.tif 000011
【図５】
2020063044.tif 000012
【図６】
2020063044.tif 000013
【図７】
2020063044.tif 000014
【図８】
2020063044.tif 000015
【図９】
2020063044.tif 000016
【図１０】
2020063044.tif 000017
【図１１】
2020063044.tif 000018
【図１２】
2020063044.tif 000019
【図１３】
2020063044.tif 000020
【図１４】
2020063044.tif 000021
【図１５】
2020063044.tif 000022
【図１６】
2020063044.tif 000023
【図１７】
2020063044.tif 000024
【図１８】
2020063044.tif 000025
【図１９】
2020063044.tif 000026
【図２０】
2020063044.tif 000027
【図２１】
2020063044.tif 000028
【図２２】
2020063044.tif 000029
【図２３】
2020063044.tif 000030
【図２４】
2020063044.tif 000031
【図２５】
2020063044.tif 000032